(57)【要約】  送風装置（１００）は、扁平な箱型のケース（１）と、ケース（１）の厚み方向と直交する方向を向く一面（１０）に位置する第一開口（２）、第二開口（３）及び第三開口（４）と、ケース（１）内に位置し、第一開口（２）と第二開口（３）を連通させる空気流路（５）と、空気流路（５）内に位置し、第一開口（２）を通じて空気を吸い込んで第二開口（３）から吹き出させる送風器（６）と、帯電微粒子水、イオンまたはオゾンを発生させ、第三開口（４）を通じて放出させる発生装置（９）とを備え、一面（１０）において、第三開口（４）は第二開口（３）と並んで位置する。
2016152092.tif 000002
【特許請求の範囲】
【請求項１】
扁平な箱型のケースと、
前記ケースの厚み方向と直交する方向を向く一面に位置する第一開口、第二開口及び第三開口と、
前記ケース内に位置し、前記第一開口と前記第二開口を連通させる空気流路と、
前記空気流路内に位置し、前記第一開口を通じて空気を吸い込んで前記第二開口から吹き出させる送風器と、
帯電微粒子水、イオンまたはオゾンを発生させ、前記第三開口を通じて放出させる発生装置と、を備え、
前記一面において、前記第三開口は前記第二開口と並んで位置することを特徴とする送風装置。
【請求項２】
前記第一開口と前記第二開口と前記第三開口は、この順に並んで位置することを特徴とする請求項１に記載の送風装置。
【請求項３】
前記第一開口と前記第二開口の間の距離が、前記第二開口と前記第三開口の間の距離よりも長いことを特徴とする請求項１または２に記載の送風装置。
【請求項４】
前記第一開口の開口面積は、前記第二開口の開口面積よりも大きいことを特徴とする請求項１乃至３のいずれか１項に記載の送風装置。
【請求項５】
前記一面の前方に位置する仕切部をさらに備え、
前記仕切部は、前記一面の前方の空間を、前記第一開口の前方の空間と、前記第二開口及び前記第三開口の前方の空間とに仕切ることを特徴とする請求項１乃至４のいずれか１項に記載の送風装置。
【請求項６】
前記一面の前方に位置する気流ガイドを備え、
前記気流ガイドは、
前記第二開口から吹き出された空気の流れの方向をガイドするガイド部と、前記仕切部とを有することを特徴とする請求項５に記載の送風装置。
【請求項７】
前記一面に位置し、前記仕切部の先端が嵌まるように構成された溝を、さらに備えることを特徴とする請求項６に記載の送風装置。
【請求項８】
前記空気流路内のうち前記第一開口の下流に位置するブロック状の第一フィルターを備え、前記第一フィルターは、前記第一開口を通じて出し入れ自在であることを特徴とする請求項１乃至５のいずれか１項に記載の送風装置。
【請求項９】
前記空気流路内のうち前記第一フィルターの上流に位置する第二フィルターをさらに備え、
前記第一フィルターは、ハニカム構造の脱臭フィルターであり、
前記第二フィルターは、前記第一開口を通じて出し入れ自在な防塵フィルターであることを特徴とする請求項８に記載の送風装置。
【請求項１０】
前記ケースの前記一面の前方に移動自在または着脱自在に装着されて、前記第二開口から吹き出される空気の流れの方向をガイドする気流ガイドをさらに備え、前記気流ガイドは、前記第二フィルターの抜け落ちを防止するための突出部を有することを特徴とする請求項９に記載の送風装置。
【請求項１１】
前記発生装置は、前記帯電微粒子水を発生させる静電霧化装置であることを特徴とする請求項１乃至１０のいずれか１項に記載の送風装置。
【請求項１２】
前記一面に位置し、前記送風器と前記発生装置の少なくとも一方を操作するための操作部をさらに備えることを特徴とする請求項１乃至１１のいずれか１項に記載の送風装置。
【発明の詳細な説明】
【技術分野】
【０００１】
本発明は、送風装置に関し、詳しくは、除菌作用や脱臭作用等を有する帯電微粒子水や、イオン等を送風する送風装置に関する。
【背景技術】
【０００２】
特許文献１には、除菌作用や脱臭作用等を有する帯電微粒子水や、イオンを送風する送風装置が開示されている。この送風装置は、一方面（前面）に吸込口と吹出口を備え、内部に吸込口と吹出口とを連通させる空気流通路を備え、空気流通路内に送風器を備える。さらに送風装置は、内部にイオン発生部を備え、イオン発生部のイオン吹出部は、空気流通路内に位置している。【０００３】
特許文献１に記載の送風装置では、吸込口を通じて吸い込んだ空気に、空気流通路内においてイオン吹出部からイオンが供給され、これにより、吹出口からイオンを含んだ空気が吹き出される。
【先行技術文献】
【特許文献】
【０００４】
【特許文献１】特開２０１３−２２１６３１号公報
【発明の概要】
【発明が解決しようとする課題】
【０００５】
ところで、特許文献１に記載の送風装置は、揮発した油が空気中に多く含まれる場所（キッチン等）で使用した場合に、空気中の揮発した油が、空気流通路内にてイオン吹出部に付着して液体化し、イオン吹出部が塞がれてしまうおそれがある。【０００６】
そのため、特許文献１に記載の送風装置では、キッチン等で使用した場合に、帯電微粒子水や、イオンの吹き出し量を確保できなくなって、除菌作用や脱臭作用等を十分に発揮できなくなるおそれがある。【０００７】
そこで、本発明は、キッチン等で使用した場合でも、帯電微粒子水や、イオン等の吹き出し量を確保することができる送風装置を提案することを課題とする。
【課題を解決するための手段】
【０００８】
上記課題を解決するための本発明の送風装置は、扁平な箱型のケースと、前記ケースの厚み方向と直交する方向を向く一面に位置する第一開口、第二開口及び第三開口と、前記ケース内に位置し、前記第一開口と前記第二開口を連通させる空気流路と、前記空気流路内に位置し、前記第一開口を通じて空気を吸い込んで前記第二開口から吹き出させる送風器と、帯電微粒子水、イオンまたはオゾンを発生させ、前記第三開口を通じて放出させる発生装置と、を備え、前記一面において、前記第三開口は前記第二開口と並んで位置することを特徴とする。
【発明の効果】
【０００９】
本発明の送風装置では、キッチン等で使用した場合でも、帯電微粒子水や、イオン等の吹き出し量を確保することができる。
【図面の簡単な説明】
【００１０】
【図１】図１は、本発明の第一実施形態の送風装置を示す斜視図である。
【図２】図２は、本発明の第一実施形態の送風装置を示す平面図であり、ケースの上板の図示を省略した図である。
【図３】図３は、本発明の第一実施形態の送風装置の設置例を概略的に示す斜視図である。
【図４】図４は、本発明の第二実施形態の送風装置を示す斜視図であり、気流ガイドがケースの前面を開放する第二位置にあるときの図である。
【図５】図５は、本発明の第二実施形態の送風装置を示す斜視図であり、気流ガイドがケースの前面を覆う第一位置にあるときの図である。
【図６】図６は、本発明の第二実施形態の送風装置を示す平面図であり、ケースの上板の図示を省略した図である。
【図７】図７は、本発明の第二実施形態の送風装置を示す分解斜視図である。
【図８】図８は、本発明の第二実施形態の送風装置の設置例を概略的に示す斜視図である。
【図９】図９は、本発明の第二実施形態の変形例１の送風装置を示す斜視図である。
【図１０】図１０は、本発明の第二実施形態の変形例２の送風装置の設置例を概略的に示す斜視図である。
【図１１】図１１は、図５に示す本発明の第二実施形態の送風装置の他の第一設置例を示す断面斜視図である。
【図１２Ａ】図１２Ａは、図１１に示す設置例で用いられる金具（右用）の斜視図である。
【図１２Ｂ】図１２Ｂは、図１１に示す設置例で用いられる金具（左用）の斜視図である。
【図１３】図１３は、図５に示す本発明の第二実施形態の送風装置の他の第二設置例を示す断面斜視図である。
【発明を実施するための形態】
【００１１】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１２】
各図は、模式図であり、必ずしも厳密に図示されたものではない。また、各図において、実質的に同一の構成に対しては同一の符号を付しており、重複する説明は省略又は簡略化する。
【００１３】
図１及び図２を用いて、本発明の第一実施形態の送風装置１００の構成を説明する。図１は、本発明の第一実施形態の送風装置１００を示す斜視図である。図２は、同送風装置１００を示す平面図であり、ケース１の上板１３の図示を省略した図である。
【００１４】
送風装置１００は、周囲の空気を吸い込んだ後、吹き出す空気に乗せて、帯電微粒子水や、イオン等を送り出すことで、空気中や周囲の設備の除菌や脱臭等を行うものである。
【００１５】
送風装置１００は、図１及び図２に示すように、扁平な箱型のケース１と、ケース１の厚み方向と直交する方向を向く一面１０に位置する第一開口２、第二開口３及び第三開口４を備える。以下では、送風装置１００の厚み方向（ケース１の厚み方向）を上下方向とし、第一開口２、第二開口３及び第三開口４が設けられた一面１０が向く方向を前方とし、その反対側を後方とし、平面視において前後方向と直交する方向を左右方向として、各構成について説明する。各図では、矢印Ｘ１で示す方向が前方向であり、矢印Ｙ１で示す方向が右方向であり、矢印Ｚ１で示す方向が上方向である。
【００１６】
送風装置１００は、ケース１内に位置し、第一開口２と第二開口３とを連通させる空気流路５と、空気流路５内に位置し、第一開口２を通じて空気を吸い込んで第二開口３から吹き出させる送風器６とを備える。送風装置１００は、帯電微粒子水、イオンまたはオゾンを発生させ、第三開口４を通じて放出させる発生装置９を備える。さらに送風装置１００は、空気流路５内のうち第一開口２の下流に位置するブロック状のフィルター７（第一フィルター）と、空気流路５内のうちフィルター７の上流に位置するフィルター８（第二フィルター）とを備える。
【００１７】
ケース１は、中空の略直方体形状であり、左右方向を長手方向とし、前後方向を短手方向とし、上下方向を厚み方向とする扁平な箱体である。ケース１は、前板１１と後板１２と上板１３と下板１４と左右一対の側板１５，１６とを組み合わせて形成される。前板１１は、後板１２や上板１３、下板１４に比べて、左右方向の長さが長い。前板１１は、左右の端部が、側板１５，１６よりも左右方向外側に突出しており、この左右の端部が、他の設備に送風装置１００を取り付けるための取付部となっている。
【００１８】
ケース１は、例えば、左右方向の最大長さ（つまり前板１１の左右方向の長さ）が２９０ｍｍであり、前後方向の幅が１００ｍｍであり、上下方向の幅が５５ｍｍである。ここで、ケース１は、前板１１よりも後方部分の左右方向の長さが２６０ｍｍである。なお、扁平な箱型のケース１のサイズは、上記のサイズに限定されるものではなく、他のサイズであってもよい。
【００１９】
第一開口２と第二開口３と第三開口４は、前板１１に、前後方向に貫通するように設けられている。これにより、ケース１は、その前面に、つまり前板１１の前面に、第一開口２と第二開口３と第三開口４とを有する。
【００２０】
第一開口２、第二開口３及び第三開口４は、この順に左から右へ並んで位置する。第一開口２と第二開口３とは、左右方向に距離Ｌ１をおいて位置する。第二開口３と第三開口４とは、左右方向に距離Ｌ２をおいて位置する。ここで、距離Ｌ１は、距離Ｌ２よりも長い。距離Ｌ１は、例えば、距離Ｌ２のおよそ１０倍である。
【００２１】
第一開口２の開口面積は、第二開口３の開口面積よりも大きく、かつ第二開口３の開口面積は、第三開口４の開口面積よりも大きい。第一開口２の開口面積は、例えば、第二開口３の開口面積の５倍〜６倍程度である。第二開口３の開口面積は、例えば、第三開口４の開口面積の１５倍〜２０倍程度である。
【００２２】
本実施形態では、第一開口２は、前板１１の左寄りの箇所に位置する。第一開口２は、前板１１の上下方向の略全長に亘っている。第二開口３は、前板１１の右寄りの箇所に位置する。第二開口３は、前板１１の上端から上下方向の中央まで亘っている。第三開口４は、前板１１の第二開口３の右隣の近い箇所に位置する。第三開口４は、前板１１の上端部に位置している。
【００２３】
ケース１は、内部空間Ｓ１を空間Ｓ２と空間Ｓ４とに分ける平面視略Ｕ字状の仕切５０と、空間Ｓ２に位置し、フィルター７，８と送風器６を支持する仕切５２をさらに有する。ケース１は、発生装置９が配される空間Ｓ３を囲む平面視略Ｌ字状の仕切５１をさらに有する。
【００２４】
空間Ｓ２は、仕切５０と前板１１とで囲まれる空間であり、前板１１の第一開口２と第二開口３のそれぞれを介して外部空間と連通する。平面視略Ｕ字状の仕切５０は、前後方向に延びる左右一対の側壁部５００，５０１と、左右方向に延びる後壁部５０２で構成される。後壁部５０２は、左の側壁部５００の後端部と右の側壁部５０１の後端部にそれぞれ連続している。壁部５００，５０１と後壁部５０２とはいずれも、平面視にて一直線状ではなく、湾曲している。左の側壁部５００は、ケース１の左の側板１５との間に左右方向に距離をおいて位置する。右の側壁部５０１は、ケース１の右の側板１６との間に左右方向に距離をおいて位置する。後壁部５０２は、ケース１の後板１２との間に前後方向に距離をおいて位置する。
【００２５】
仕切５２は、空間Ｓ２の左右方向の中央部に位置する。仕切５２は、空間Ｓ２内において、左の側壁部５００に対して対向している。仕切５２の前端部は前板１１と一体であり、仕切５２の後端は、後壁部５０２との間に前後方向に距離をおいて位置する。仕切５２は、前後方向に延びる板体であり、平面視にて一直線状ではなく湾曲している。
【００２６】
空間Ｓ２のうち仕切５２を除く空間が、第一開口２と第二開口３を連通する空気流路５である。空気流路５は、第一開口２を上流端とし、第二開口３を下流端とする平面視略Ｕ字状の流路である。
【００２７】
空間Ｓ４は、仕切５０と前板１１と後板１２と左右一対の側板１５，１６とで囲まれる平面視略Ｕ字状の空間である。空間Ｓ４の右側の前端部が、空間Ｓ３である。空間Ｓ３は、仕切５０の右の側壁部５０１と、平面視略Ｌ字状の仕切５１と、前板１１とで囲まれる空間であり、第三開口４を介して外部空間と連通している。平面視略Ｌ字状の仕切５１は、前板１１と右の側壁部５０１のそれぞれに対して一体である。仕切５１の一部には、空間Ｓ３に設置された発生装置９から延びる電源コードが通される孔５１０が設けられている。
【００２８】
空間Ｓ４には、送風器６や発生装置９の制御を行う回路基板４５や、外部の商用電源に接続される通電接続部４６が設置される。通電接続部４６は、回路基板４５に電気的に接続されている。
【００２９】
空気流路５内に配される送風器６は、空気流路５内のうち仕切５２よりも右側において上部領域に設置される。送風器６は、例えば、シロッコファンであり、送風器６の下方の空気を吸い上げて、前方へと吹き出す。
【００３０】
空気流路５内の送風器６よりも上流側には、フィルター７，８がそれぞれ、仕切５０の左の側壁部５００と仕切５２とで支持されて設置される。フィルター７，８はそれぞれ、交換可能である。
【００３１】
フィルター８は、塵や埃を捕捉可能な防塵フィルターであり、従来周知のフィルターが用いられる。また、フィルター７は、脱臭フィルターであり、従来周知のフィルターが用いられる。フィルター７は、例えば、開口率が大きく圧力損失の低いハニカム構造のブロック体である。本実施形態では、フィルター８は、矩形板状である。
【００３２】
送風装置１００は、空気流路５のうち、第一開口２に隣接する下流側の位置に、フィルター７，８を支持する支持部６０，６１を備える。本実施形態では、仕切５０の左の側壁部５００の前端部と仕切５２が、支持部６０，６１を構成する。支持部６０，６１は、略対称な構造である。
【００３３】
詳しくは、支持部６０，６１のそれぞれは、前後方向に一直線状に延びた第一支持部６２と、第一支持部６２の前端部から左右方向内側に延びた前支持部７１と、第一支持部６２の前後方向の中央部から左右方向内側に延びた受け部６３を含む。支持部６０，６１のそれぞれは、第一支持部６２のうちの受け部６３よりも後側の部位から左右方向内側に延びた段部６４と、段部６４の左右方向内側の端部から後方に延びた第二支持部６６を含む。さらに支持部６０，６１のそれぞれは、第二支持部６６の後端部から左右方向内側に延びた第二受け部６７を含む。
【００３４】
左右一対の前支持部７１は、第一開口２の左右に位置する。左右一対の前支持部７１は、互いに前後位置が同じであり、互いに反対方向に突出している。また、左右一対の受け部６３は、互いに前後位置が同じであり、互いに反対方向に突出している。また、左右一対の段部６４は、互いに前後位置が同じであり、互いに反対方向に突出している。また、左右一対の第二受け部６７は、互いに前後位置が同じであり、互いに反対方向に突出している。左右一対の第二支持部６６は、略平行であり、前後位置が同じである。
【００３５】
本実施形態では、右の支持部６１の第二支持部６６は、前後方向に一直線状であり、左の支持部６０の第二支持部６６は、前半部が後半部よりも左に位置するように、前半部が段差を介して後半部と連続している。
【００３６】
左右一対の前支持部７１と受け部６３と段部６４と第二支持部６６と第二受け部６７は、この順に空気流路５の上流側から下流側へと並んで位置する。受け部６３の突出長さ（左右長さ）は、前支持部７１と段部６４のいずれの突出長さ（左右長さ）よりも短い。前支持部７１と受け部６３との間の距離Ｌ３と、受け部６３と段部６４との間の距離Ｌ４とは、互いに異なる。本実施形態では、距離Ｌ３は、距離Ｌ４よりも若干長い。
【００３７】
フィルター８は、前支持部７１と受け部６３と段部６４のうち、いずれか２つの間に選択的に挟まれて支持される。本実施形態では、フィルター８は、その左端部が、左の支持部６０の受け部６３と段部６４の間に挟まれ、その右端部が、右の支持部６１の受け部６３と段部６４の間に挟まれることで、支持される。
【００３８】
なお、フィルター８は、厚みによっては、前支持部７１と受け部６３との間に挟まれて支持されてもよいし、前支持部７１と段部６４との間に挟まれて支持されてもよい。
【００３９】
また、フィルター８は、２枚で構成されてもよく、その場合、一方が前支持部７１と受け部６３との間に挟まれて支持され、他方が受け部６３と段部６４との間に挟まれて支持される。
【００４０】
一方、フィルター７は、左の支持部６０の第二支持部６６の後半部と右の支持部６１の第二支持部６６との間に挟まれて支持される。さらに、フィルター７は、後面の左右の端部が、左右一対の第二受け部６７にそれぞれ当たることで、前後位置が決められる。
【００４１】
発生装置９は、本実施形態では、除菌作用と脱臭作用とを有する帯電微粒子水を発生させる静電霧化装置である。静電霧化装置は、水粒子放出部とこれに対向する対向電極との間に高電圧を印加することで水粒子放出部の水分を霧化し、ナノメートルサイズの帯電微粒子水を生成する構成である。帯電微粒子水は、ナノメートルサイズ（例えば、５〜２０ｎｍ程度）の粒子径のものを含む帯電した微粒子液滴であり、空気中にミスト状態で浮遊可能なものである。
【００４２】
静電霧化装置は、例えば、水粒子放出部としてのピン状の放電電極（霧化電極）と、この放電電極と対向して配置され、放電電極と同軸状の開口を有するリング形状とした対向電極とを備えたものである。静電霧化装置は、放電電極と対向電極との間に高電圧を印加することで放電現象を生じさせ、放電電極に保持された水分を静電霧化させることで、帯電微粒子水を電極間から放出する。なお、静電霧化装置は、対向電極を有さないものであってもよく、この場合、水粒子放出部に高電圧を印加することで、帯電微粒子が生成される。
【００４３】
放電電極（水粒子放出部）に水分を保持させる手段としては、放電電極の基端部に連結された冷却手段により放電電極を冷却することで、放電電極周りの空気に含まれる水分（水蒸気）を放電電極の表面に結露させて保持させるようにする。冷却手段としては、例えばペルチェ素子が用いられる。この場合、例えば、ペルチェ素子の冷却面に電気絶縁材を介して放電電極の基端部を連結し、ペルチェ素子の放熱面に放熱フィン等からなる放熱部を連結する。
【００４４】
なお、発生装置９は、静電霧化装置に限らず、除菌作用や脱臭作用を有するイオンまたはオゾンを発生させる装置であってもよいし、帯電微粒子とイオンとオゾンのうちの２つ以上を発生させる装置であってもよい。
【００４５】
発生装置９で生成された帯電微粒子水は、前板１１に設けた第三開口４から放出される。本実施形態では、発生装置９は、生成された帯電微粒子水を送り出す送風器を有していないが、送風器を有するものであってもよい。
【００４６】
以上説明した本実施形態の送風装置１００は、例えば、以下のようにして駆動する。
【００４７】
まず、送風装置１００や壁等に設置されたスイッチをＯＮ操作する。すると、送風装置１００の送風器６と発生装置９のそれぞれが駆動し、第一開口２を通じて周囲の空気が吸い込まれる。このとき、第一開口２を通じて吸い込まれた空気は、フィルター８を通過することで、空気中の塵や埃が取り除かれ、その後、フィルター７を通過することで、空気中の臭いが取り除かれる。
【００４８】
フィルター７，８を通過した空気は、送風器６を通過して、第二開口３から吹き出される。このとき、第二開口３から勢いよく空気が吹き出され、この勢いよく吹き出される空気に引っ張られて、発生装置９で生成された帯電微粒子水が第三開口４から放出される。
【００４９】
そして、第三開口４から放出された帯電微粒子水は、第二開口３から吹き出される空気に乗って送風装置１００の前方へと送り出される。
【００５０】
以上のように、本実施形態の送風装置１００では、帯電微粒子水を含む空気を送り出すことで、送風装置１００の前方の空間や、周囲の設備や壁や床の、除菌や脱臭を行うことができる。
【００５１】
なお、送風装置１００は、手動でＯＮ・ＯＦＦ操作するものに限らず、自動でＯＮ・ＯＦＦが切り替えられるものであってもよいし、常時駆動するものであってもよい。
【００５２】
本実施形態の送風装置１００は、例えば、図３に示すように、キッチンルームの調理台９０の上方に設置されたキャビネット９１の一部に、一面１０が露出する状態で設置される。送風装置１００は、調理台９０の加熱調理器９２の向かいに設置されており、加熱調理器９２に向けて帯電微粒子水を放出することができる。キッチンルームは、出入口９３が扉によって開閉される密閉可能な空間である。そのため、調理時には、扉を閉めることによって、揮発した油を多く含む空気が、キッチンルームに繋がる他の部屋に流れ出ることを抑制できる。なお、キッチンルームは、扉で出入口９３が開閉されない空間であってもよく、つまり、居室の一部の空間であってもよい。また、送風装置１００は、キャビネット９１に限らず、キッチンルームのその他の設備や壁等に設置してもよい。
【００５３】
本実施形態の送風装置１００は、空気流路５に第三開口４が位置していないため、キッチンルームに設置した場合でも、第三開口４が、空気流路５を流れる揮発した油を多く含む空気に晒されることを抑制できる。そのため、本実施形態の送風装置１００は、第三開口４が油で閉塞されることを抑制でき、第三開口４から放出される帯電微粒子水の量を確保できて、除菌作用や脱臭作用を十分に発揮することができる。
【００５４】
また、本実施形態の送風装置１００は、キッチンルームに設置した場合、空気中に水分が多く含まれるため、発生装置９が水分を確保しやすく、この点においても、第三開口４から放出される帯電微粒子水の量が確保しやすくなる。
【００５５】
なお、送風装置１００は、キッチンルームに限らず、揮発した油が空気中に多く含まれる他の場所に設置してもよい。また送風装置１００は、揮発した油が空気中に含まれない、または少ない他の場所に設置してもよい。
【００５６】
また、本実施形態の送風装置１００では、第三開口４を、第二開口３から吹き出される空気に引っ張られて帯電微粒子水が放出されるように、第二開口３に隣接させて、つまり極力近い位置に配置している。しかし、第三開口４と第二開口３との間の距離Ｌ３は、第二開口３から吹き出される空気に引っ張られて第三開口４から帯電微粒子水が引き出される範囲で、適宜設定可能である。
【００５７】
続いて、図４〜図７を用いて、本発明の第二実施形態の送風装置２００について説明する。図４は、本発明の第二実施形態の送風装置２００を示す斜視図であり、気流ガイド３０がケース１の前面を開放する第二位置にあるときの図である。図５は、同送風装置２００を示す斜視図であり、気流ガイド３０がケース１の前面を覆う第一位置にあるときの図である。図６は、同送風装置２００を示す平面図であり、ケース１の上板１３の図示を省略した図である。図７は、同送風装置２００を示す分解斜視図である。
【００５８】
送風装置２００は、扁平な箱型のケース１と、ケース１の厚み方向と直交する方向を向く一面１０に位置する第一開口２、第二開口３及び第三開口４を備える。送風装置２００は、ケース１内に位置し、第一開口２と第二開口３とを連通させる空気流路５と、空気流路５内に位置し、第一開口２を通じて空気を吸い込んで第二開口３から吹き出させる送風器６を備える。
【００５９】
送風装置２００は、空気流路５内のうち第一開口２の下流に位置するブロック状のフィルター７と、空気流路５内のうちフィルター７の上流に位置するフィルター８を備える。送風装置２００は、帯電微粒子水、イオンまたはオゾンを発生させ、第三開口４を通じて放出させる発生装置９を備える。
【００６０】
送風装置２００は、ケース１の一面１０に、送風器６と発生装置９の少なくとも一方を操作するための操作部２０と、送風器６や発生装置９の駆動状態を表示する表示部２１を備える。
【００６１】
送風装置２００は、ケース１の一面１０の前方に移動自在に装着されて、第二開口３から吹き出される空気の流れの方向をガイドする気流ガイド３０をさらに備える。気流ガイド３０は、ケース１の一面１０の前方を覆う第一位置（図５参照）と、ケース１の一面１０の前方を開放する第二位置（図４参照）との間で、移動自在である。ケース１は、気流ガイド３０を移動自在に支持する支持部１７を側面に有している。
【００６２】
ケース１は、中空の略直方体形状であり、左右方向を長手方向とし、前後方向を短手方向とし、上下方向を厚み方向とする扁平な箱体である。ケース１は、前板１１、後板１２、上板１３、下板１４及び左右一対の側板１５，１６を含む。
【００６３】
ケース１は、左右方向の長さと前後方向の長さがそれぞれ、例えば、１６０〜４００ｍｍであり、上下方向の厚みが、例えば、４０〜８０ｍｍであり、好ましくは、４０〜６０ｍｍである。本実施形態では、ケース１は、左右方向の最大長さが３３０ｍｍであり、前後方向の幅が２２５ｍｍであり、上下方向の幅が５５ｍｍである。なお、扁平な箱型のケース１のサイズは、上記のサイズに限定されるものではなく、他のサイズであってもよい。
【００６４】
第一開口２、第二開口３及び第三開口４は、前板１１を前後方向に貫通し、操作部２０と表示部２１は、前板１１に前方に露出するように設けられている。これにより、ケース１は、その前面に、つまり前板１１の前面に、第一開口２、第二開口３、第三開口４、操作部２０、及び表示部２１を有する。
【００６５】
操作部２０は、第一スイッチ２２と第二スイッチ２３を含む。第一スイッチ２２は、送風器６及び発生装置９のＯＮ・ＯＦＦを切り替えるための電源スイッチである。第二スイッチ２３は、送風器６の風量の大小を切り替えるための風量切替スイッチである。
【００６６】
表示部２１は、例えば、送風器６及び発生装置９がＯＮ状態にあるときに点灯し、送風器６及び発生装置９がＯＦＦ状態にあるときに消灯するように設定されている。表示部２１は、前板１１の一面１０に取り付けられる透光板２４と、前板１１のうち透光板２４に重なる箇所に設けられる貫通孔２５と、貫通孔２５の後方に配されるＬＥＤ等の光源２６とを含む。
【００６７】
第一スイッチ２２、第一開口２、表示部２１、第二開口３、第三開口４及び第二スイッチ２３は、この順に左から右へ並んで位置する。第一開口２と第二開口３の間の距離Ｌ１は、第二開口３と第三開口４の間の距離Ｌ２よりも長い。第一開口２の開口面積は、第二開口３の開口面積よりも大きい。第一開口２は、前板１１の上縁から前板１１の下縁の若干上方の位置まで亘っている。
【００６８】
送風装置２００は、第一開口２に位置し、フィルター８の抜け落ちを防止するための抜け止め部２７をさらに備える。本実施形態では、ケース１の上板１３は、前縁のうち第一開口２の上縁を構成する部位の左右両端部から下方に突出する略矩形板状の垂下部２８を有する。この左右一対の垂下部２８が、抜け止め部２７を構成している。
【００６９】
なお、抜け止め部２７は、前板１１のうち、第一開口２の側縁や下縁を構成する部位から第一開口２の内側に向けて突出した一対の突片で構成されるものであってもよい。
【００７０】
フィルター７は、ブロック状の脱臭フィルターであり、本実施形態では、開口率が大きく圧力損失の低いハニカム構造のブロック体である。フィルター７は、左右方向に最も長く、上下方向の長さよりも前後方向の長さが長いブロック体である。このようにフィルター７をブロック状とすることで、上下方向に短くても容積を確保でき、フィルター７の脱臭性能が確保される。
【００７１】
フィルター７としては、例えば、段ボール原紙等のハニカム構造の基材に、種々の触媒や吸着剤、脱臭剤等を付着させたものである。また、フィルター７としては、活性炭と触媒をブレンドしたものをハニカム構造の基材に付着させたハイブリッド仕様のものであってもよい。この場合、フィルター７によって、空気中に浮遊する臭い成分をより効果的に脱臭することができる。また、フィルター７は、外面全体をスポンジテープ等で覆ったものであってもよい。この場合、フィルター７は、交換の際などに、手を汚しにくい。なお、フィルター７は、ブロック状の脱臭フィルターであればよく、ハニカム構造に限らず、格子構造のもの等であってもよい。
【００７２】
フィルター８は、矩形板状の防塵フィルターであり、本実施形態では、不織布で形成されている。フィルター８は、変形可能な部材であり、第一開口２へ出し入れする際に、抜け止め部２７を避けるように変形させることができる。フィルター８は、変形させて第一開口２へ出し入れした後には、元の矩形板状に形を戻すことができる。
【００７３】
気流ガイド３０は、第二開口３から吹き出された空気の流れを、一面１０に平行な方向に変えるガイド部３１と、一面１０の前方の空間を、第一開口２の前方の空間と、第二開口３及び第三開口４の前方の空間とに仕切る仕切部３２を有する。仕切部３２は、気流ガイド３０が第一位置にあるときに、ケース１の前板１１の前面（一面１０）の前方に位置するように構成されている。
【００７４】
詳しくは、気流ガイド３０は、略矩形板状の前板部３３と、前板部３３の左右の端部から後方に突出した左右一対の略矩形板状の側板部３４と、左右の側板部３４の前後方向の略中央部の上端部間に介在する略矩形板状の上板部３５とを有する。ガイド部３１は、一面１０に対して垂直な断面において（つまり側面視にて）、前斜め上方に凸の円弧状の断面形状を有する。ガイド部３１は、上板部３５の前端と前板部３３の上下方向の中央部との間に介在する。ガイド部３１は、気流ガイド３０の左右方向の全長に亘って位置し、左右の端部がそれぞれ左右一対の側板部３４と一体である。
【００７５】
気流ガイド３０は、一面１０の前方の空間を左右方向に仕切る仕切板として、第一仕切板３６と第二仕切板３７と第三仕切板３８と第四仕切板３９を有する。各仕切板３６〜３９は、上板部３５とガイド部３１と前板部３３のそれぞれと一体である。各仕切板３６〜３９は、平坦な上面が上板部３５と一体であり、平坦な前面が前板部３３と一体であり、上面と前面との間の側面視円弧状の面がガイド部３１と一体である。
【００７６】
各仕切板３６〜３９は、平坦な下面が、前板部３３の下面よりも若干上方に位置する。各仕切板３６〜３９の上下長さは、第一開口２の上下長さと略同じである。また、各仕切板３６〜３９は、平坦な後面が、上板部３５の後面と略面一である。
【００７７】
第一仕切板３６は、第一スイッチ２２の前方の空間と第一開口２の前方の空間とを左右に仕切る位置に設けられている。第二仕切板３７は、第一開口２の前方の空間と表示部２１の前方の空間とを左右に仕切る位置に設けられている。第三仕切板３８は、表示部２１の前方の空間と第二開口３の前方の空間とを左右に仕切る位置に設けられている。第四仕切板３９は、第三開口４の前方の空間と第二スイッチ２３の前方の空間とを左右に仕切る位置に設けられている。仕切部３２は、本実施形態では、仕切板３７，３８で構成される。第三仕切板３８は、左右方向の位置が、第二開口３に極力近い位置となるように設けられている。
【００７８】
気流ガイド３０はさらに、フィルター８の第一開口２からの抜け落ちを防止するための左右一対の板状の突出部２９を有する。左の突出部２９は、第一仕切板３６の右側に位置し、右の突出部２９は、第二仕切板３７の左側に位置する。各突出部２９は、上板部３５とガイド部３１と前板部３３のそれぞれと一体である。各突出部２９の平坦な下面は、各仕切板３６〜３９の下面よりも若干上方に位置する。
【００７９】
各突出部２９は、気流ガイド３０が第一位置にあるときに、フィルター８の左右の端部の前側（上流側）に位置するように設けられている。
【００８０】
各突出部２９は、下半部が上板部３５の後端よりも後方に突出している。各突出部２９は、下半部の後端部（後方に突出した部分）が、気流ガイド３０が第一位置にあるときに、空気流路５内のうち、第一開口２とフィルター８の間に位置するように設けられている。なお、各突出部２９は、下半部の後端部が、気流ガイド３０が第一位置にあるときに、フィルター８の前面に当たるように設けられていてもよい。
【００８１】
気流ガイド３０は、本実施形態では、左右一対の側板部３４の後端部が、ケース１の左右の側板１５，１６に対して前後方向にスライド移動自在かつ上下方向に回転自在に取り付けられている。これにより、気流ガイド３０は、第一位置と第二位置との間で、移動自在である。
【００８２】
また、気流ガイド３０は、本実施形態では、最も下側まで回転させた状態で、下方に所定以上の力を加えることで、ケース１の左右の側板１５，１６から取り外すことができるように設けられている。
【００８３】
左右一対の側板部３４の後端部を、ケース１の左右の側板１５，１６に対して、上記のような動きが可能となるように取り付けるための構造としては、従来周知の適宜の構造が用いられる。
【００８４】
本形態では、図７に示すように、左右一対の側板部３４の後端部に、左右方向内側に向けて突出する第一突起部７１０と第二突起部７２０を有する。第一突起部７１０は、角筒状であり、第二突起部７２０は、丸筒状である。ケース１の左右の側板１５，１６のそれぞれの前端部には、第一突起部７１０が挿入される第一スライド溝７３０と、第二突起部７２０が挿入される第二スライド溝７４０を有する。スライド溝７３０，７４０は、左右方向外側に向けて開口している。本実施形態では、スライド溝７３０，７４０が、ケース１が側面に有する支持部１７を構成している。
【００８５】
第一スライド溝７３０は、前後方向に一直線状に延びた第一溝部７５０と、第一溝部７５０の前端から前斜め下方に向けて略円弧状に延びた第二溝部７６０と、第二溝部７６０の下端から下方に向けて一直線状に延びた第三溝部７７０を有する。各第三溝部７７０は、側板１５，１６の下端まで延びており、下方に開口している。各第三溝部７７０の下端部には、抜け止め用の突起７７１が設けられている。第一溝部７５０の前端部には、抜け止め用の突起７５１が設けられている。
【００８６】
第二スライド溝７４０は、前後に並ぶ前溝部７８０と後溝部７９０とを有する。前溝部７８０の底面からは、第二突起部７２０の内側に嵌り込んで第二突起部７２０を回転自在に支持する軸受用突起７８１が左右方向外側に向けて突出している。各前溝部７８０は、側板１５，１６の下端まで延びており、下方に開口している。各前溝部７８０の下端部には、抜け止め用の突起７８２が設けられている。
【００８７】
気流ガイド３０は、以下のようにして、ケース１に取り付けられる。
【００８８】
まず、前板部３３の前面が下方を向く姿勢で、下方から第一突起部７１を第一スライド溝７３０の第三溝部７７０の下端開口に挿入し、第二突起部７２０を第二スライド溝７４０の前溝部７８０の下端開口に挿入する。このとき、第一突起部７１０は、突起７７１を越えさせて第三溝部７７０に挿入し、第二突起部７２０は、突起７８２を越えさせて前溝部７８０に挿入する。突起７７１，７８２により、突起部７１０，７２０は、溝部７７０，７８０から下方に抜け落ちることが抑制される。
【００８９】
次いで、気流ガイド３０を上方へとスライド移動させて、第二突起部７２０を軸受用突起７８１に嵌め合せることで、気流ガイド３０はケース１の左右の側板１５，１６に回転自在に支持される。
【００９０】
この状態から、気流ガイド３０を、前板部３３の前面が前方を向く姿勢まで回転させ、その後、気流ガイド３０を後方にスライド移動させることで、気流ガイド３０はケース１の前面の前方を覆う第一位置に設置される。このとき、気流ガイド３０は、第一突起部７１０が第一スライド溝７３０の突起７５１を乗り越えて第一溝部７５０の後端部に位置し、第二突起部７２０が第二スライド溝７４０の後溝部７９０に位置して、ケース１に対して固定される。このとき、第一突起部７１０は、突起７５１によって抜け止めがなされる。
【００９１】
気流ガイド３０は、第一位置にある状態から前側へ引き出すことで、下方へと回転させることができ、第二位置へと移動させることができる。
【００９２】
なお、気流ガイド３０は、一面１０の前方を覆う第一位置と、一面１０の前方を開放する第二位置との間で、移動自在なものであればよい。例えば、気流ガイド３０は、ケース１に対して、回転自在に取り付けられたものであってもよいし、上下や左右にスライド移動自在に取り付けられたものであってもよいし、着脱自在なものであってもよい。
【００９３】
送風装置２００は、ケース１の一面１０に位置し、気流ガイド３０の仕切部３２の先端が嵌まるように構成された溝４０をさらに備える。本実施形態では、前板１１の前面には、第一スイッチ２２と第一開口２の間に位置する第一溝４１と、第一開口２と表示部２１の間に位置する第二溝４２と、表示部２１と第二開口３の間に位置する第三溝４３が設けられている。さらに前板１１の前面には、第三開口４と第二スイッチ２３の間に位置する第四溝４４が設けられている。各溝４１〜４４は、上下方向に延びた一直線状の溝であり、前方と上方に開口している。各溝４１〜４４の下端は、第一開口２の下縁と略同じ上下位置である。本実施形態では、仕切部３２の先端が嵌るように構成された溝４０は、溝４２，４３である。第三溝４３は、第二開口３に極力近い位置に設けられている。
【００９４】
送風器６は、本実施形態では、シロッコファンである。送風器６は、下方の空気を吸い上げて、前方へと吹き出すものである。
【００９５】
発生装置９は、第一実施形態の発生装置９と同様の静電霧化装置である。なお、発生装置９は、静電霧化装置に限らず、除菌作用や脱臭作用を有するイオンまたはオゾンを発生させる装置であってもよいし、帯電微粒子とイオンとオゾンのうちの２つ以上を発生させる装置であってもよい。
【００９６】
送風装置２００は、送風器６や発生装置９の制御を行う回路基板４５と、外部の商用電源に接続される通電接続部４６をさらに備える。回路基板４５と通電接続部４６は、ケース１内に位置する。
【００９７】
空気流路５は、ケース１の内部空間Ｓ１を仕切る複数の仕切りと、上板１３と下板１４とで囲まれる空間である。
【００９８】
ケース１の下板１４は、図６に示すように、空気流路５が位置する空間Ｓ２を囲む平面視略Ｕ字状の第一仕切５０を有する。さらに下板１４は、発生装置９が収納される空間Ｓ３と、回路基板４５及び通電接続部４６が収納される空間Ｓ４とを前後に仕切る、左右方向に一直線状の第二仕切５１を有する。
【００９９】
下板１４は、第一仕切５０の左側の前端部の右側に対向して位置する第三仕切５２と、第一仕切５０の右側の前端部の左側に対向して位置する第四仕切５３と、第一仕切５０の右側の前端部の右側に対向して位置する第五仕切５４とを有する。
【０１００】
第三仕切５２と第四仕切５３で囲まれる空間が、表示部２１の光源２６が収納される空間Ｓ５である。第五仕切５４の右側の空間が、第二スイッチ２３が収納される空間Ｓ６であり、第五仕切５４の左側の空間が、発生装置９が帯電微粒子水を放出する空間Ｓ７である。第一仕切５０の左側の前端部の左側の空間が、第一スイッチ２２が収納される空間Ｓ８である。
【０１０１】
第一仕切５０で囲まれる空間Ｓ２のうち、光源２６が収納される空間Ｓ５を除く空間が、空気流路５である。
【０１０２】
送風器６は、空気流路５のうち、第三仕切５２よりも下流側の領域の上部に設置されている。つまり、送風器６は、下板１４から上方に離れた位置に設けられており、これにより、送風器６の下方の空気を吸い上げて、前方へと吹き出す。
【０１０３】
空気流路５のうち、送風器６よりも下流側の流路は、送風器６よりも上流側の流路に比べて、流路の下端の上下位置が高い位置にある。空気流路５のうち、送風器６よりも上流側の流路の下端の上下位置は、第一開口２の下縁と略同じ高さであり、空気流路５のうち、送風器６よりも下流側の流路の下端の上下位置は、第二開口３の下縁と略同じ高さである。
【０１０４】
送風装置２００は、空気流路５のうち、第一開口２に隣接する下流側の位置に、フィルター７，８を支持する支持部６０，６１を備える。本実施形態では、第一仕切５０の左側の前端部と第三仕切５２が、支持部６０，６１を構成する。支持部６０，６１は、略対称な構造である。
【０１０５】
詳しくは、支持部６０，６１のそれぞれは、前後方向に一直線状に延びた第一支持部６２と、第一支持部６２の前後方向の中央部から左右方向内側に延びた第一受け部６３を含む。支持部６０，６１のそれぞれは、第一支持部６２のうちの第一受け部６３よりも後側の部位から左右方向内側に延びた段部６４と、段部６４の左右方向内側の端部から左右方向内側後方に延びた傾斜部６５を含む。支持部６０，６１のそれぞれは、傾斜部６５の後端部から後方に延びた第二支持部６６と、第二支持部６６の後端部から左右方向内側に延びた第二受け部６７を含む。第二受け部６７は、下端部がその上側の部位に比べて左右方向内側に突出している。
【０１０６】
さらに支持部６０，６１のそれぞれは、第一受け部６３の左右方向内側の端部の下端部から左右方向内側に延びた第三受け部６８と、第三受け部６８の左右方向内側の端部から左右方向内側後方に延びた案内部６９を含む。支持部６０，６１のそれぞれは、案内部６９の後端部から後方に延びた第三支持部７０を含む。
【０１０７】
第三支持部７０は、傾斜部６５の左右方向内側の端部の下端部と一体であり、第三支持部７０の左右方向内側の面は、第二支持部６６の左右方向内側の面と面一である。第三受け部６８は、前面が第一受け部６３の前面と面一である。
【０１０８】
左の支持部６０の部位６２〜７０のそれぞれと、右の支持部６１の部位６２〜７０のそれぞれは、前後方向の位置が同じであり、左右の支持部６０，６１は、略対称な構造である。
【０１０９】
左右の支持部６０，６１の第一支持部６２の前端部間の距離は、フィルター８の左右幅と略同じである。左右の支持部６０，６１の第二支持部６６間の距離と、左右の支持部６０，６１の第三支持部７０間の距離は、フィルター７の左右幅と同じか、この左右幅よりも僅かに短い。
【０１１０】
フィルター７は、左右側面のうち後半部が左右一対の第二支持部６６によって挟まれて支持され、左右側面のうち前半部の下端部が左右一対の第三支持部７０によって挟まれて支持されることで、空気流路５内に設置される。このとき、フィルター７は、後面が左右一対の第二受け部６７に当てられることで、前後方向の設置位置が決まる。
【０１１１】
上記のようにフィルター７を設置した状態において、空気流路５内のうちフィルター７の前半部の上下方向中央部を挟む左右両側には、指を挿入することのできるスペースＳ１０が形成される。スペースＳ１０は、支持部６０，６１の部位７０の左右方向外側の領域の上方に形成される。
【０１１２】
フィルター８は、左右の側面が左右一対の第一支持部６２の前端部によって挟まれて支持されることで、空気流路５内のうちフィルター７の上流側に設置される。このとき、フィルター８は、後面が左右一対の第一受け部６３と左右一対の第三受け部６８に当てられることで、前後方向の設置位置が決まる。
【０１１３】
フィルター７，８はそれぞれ、設置位置において空気流路５を上下方向及び左右方向に亘って閉塞する。
【０１１４】
なお、上板１３は、下板１４と同様に、空気流路５が位置する空間を囲む平面視略Ｕ字状の第一仕切や、フィルター７，８を支持する左右一対の支持部を備えるものであってもよいし、フラットな板状のものであってもよい。
【０１１５】
送風装置２００は、ケース１の底面（下板１４の下面）を覆う化粧カバー７２をさらに備える。化粧カバー７２は、ケース１の底面に対して着脱自在であり、ケース１の底面に引っ掛けるなどして取り付けられる。化粧カバー７２は、例えば、平面視略矩形状の薄板であり、上方に突出する複数の爪部を有する。この複数の爪部を下板１４に設けられた穴に差し込んで引っ掛けるなどすることで、化粧カバー７２は、ケース１の底面に装着される。
【０１１６】
以上説明した本実施形態の送風装置２００は、例えば、以下のように用いられる。
【０１１７】
まず、送風装置２００の一面１０の第一スイッチ２２がＯＮ操作される。すると、送風装置２００の送風器６と発生装置９のそれぞれが駆動する。その後、第二スイッチ２３が操作されることで、送風器６の風量を調整することができる。
【０１１８】
送風器６が駆動すると、第一開口２を通じて周囲の空気が吸い込まれる。このとき、第一開口２を通じて吸い込まれた空気は、フィルター８を通過することで、空気中の塵や埃が取り除かれ、その後、フィルター７を通過することで、空気中の臭いが取り除かれる。
【０１１９】
フィルター７，８を通過した空気は、送風器６を通過して、第二開口３から吹き出される。このとき、第二開口３からは勢いよく空気が吹き出され、この勢いよく吹き出される空気に引っ張られて、発生装置９で生成された帯電微粒子水が第三開口４から放出される。
【０１２０】
そして、第三開口４から放出された帯電微粒子水は、第二開口３から吹き出される空気に乗って送風装置２００の前方へと送り出される。
【０１２１】
以上のように、送風装置２００は、帯電微粒子水を含む空気を送り出すことで、周囲の空間や設備や壁や床の、脱臭を行うことができる。また、送風装置２００は、周囲の空気を吸い込んでフィルター７に通過させることによって、周囲の空気中に浮遊する臭いも脱臭することができ、多様の様態で脱臭を行うことができる。また、送風装置２００は、帯電微粒子水等を放出させることによって、脱臭に加えて、ウイルス、黴、菌、花粉抗原（アレル物質）等の不活性化を行うことができる。
【０１２２】
以上説明した本実施形態の送風装置２００においても、空気流路５に第三開口４が位置していないため、キッチンルームに設置した場合等に、第三開口４が油で閉塞されることを抑制できる。したがって、本実施形態の送風装置２００においても、第三開口４から放出される帯電微粒子水の量を確保できて、除菌作用や脱臭作用を十分に発揮することができる。
【０１２３】
また、本実施形態の送風装置２００は、気流ガイド３０がガイド部３１を備えるため、第二開口３から前方に吹き出される空気と、この空気に乗って放出される帯電微粒子水とを、ガイド部３１によって下方へ誘導することができる。これにより、本実施形態の送風装置２００は、気流ガイド３０を第一位置に位置させることで、下方の領域の除菌や脱臭を効果的に行うことができる。
【０１２４】
また、本実施形態の送風装置２００では、気流ガイド３０が仕切部３２（仕切板３７，３８）を備えるため、第二開口３から吹き出される空気が、吹出してすぐに第一開口２に吸い込まれることを仕切部３２によって抑制することができる。またこのとき、本実施形態の送風装置２００では、第二開口３から吹き出される空気と、この空気に乗って放出される帯電微粒子水が、仕切板３８，３９によって流れ方向がガイドされ、意図していない方向へ拡散することを抑制することができる。
【０１２５】
また、本実施形態の送風装置２００では、第一開口２へと吸い込まれる空気も、気流ガイド３０のガイド部３１や仕切板３６，３７によって流れ方向をガイドすることができる。
【０１２６】
また、本実施形態の送風装置２００では、気流ガイド３０をケース１に対して着脱自在に設けたことで、フィルター交換等のメンテナンスが行いやすい。
【０１２７】
この場合、フィルター７，８の交換は、例えば、以下のようにして行うことができる。
【０１２８】
すなわち、送風装置２００では、気流ガイド３０を、ケース１の一面１０の前方を開放する第二位置に位置させた状態（図４参照）または未装着な状態で、第一開口２を通じてフィルター８を抜き出すことができる。このとき、例えば、第一開口２を通じて２本の指を挿入し、この２本の指でフィルター８をつまんで変形させることで、左右の抜け止め部２７を避けながら、フィルター８を第一開口２から抜き出すことができる。また、このとき、第一開口２を通じて２本の指を挿入し、この２本の指でフィルター８を変形させずに下方に引き出すことでも、左右の抜け止め部２７を避けながら、フィルター８を第一開口２から抜き出すことができる。
【０１２９】
そして、フィルター８を抜き出した後、フィルター７の前半部の左右両側のスペースＳ１０のそれぞれに指を１本ずつ差し込んで、フィルター７を掴み、第一開口２を通じて、フィルター７を抜き出すことができる。
【０１３０】
そして、新たな（または洗浄した）フィルター７の前半部を左右から指で掴んだ状態で、第一開口２を通じて、空気流路５内に挿入することができる。このとき、新たなフィルター７は、左右一対の第二受け部６７に当たる位置まで差し込むことで、所定の位置に設置される。
【０１３１】
そして、新たなフィルター７を設置した後、新たな（または洗浄した）フィルター８を変形させながら、第一開口２を通じて、空気流路５内に挿入することができる。また、このとき、新たなフィルター８を変形させずに左右の抜け止め部２７を避けるように下方から、第一開口２を通じて、空気流路５内に挿入することもできる。このとき、新たなフィルター８は、左右一対の第一受け部６７と左右一対の第三受け部６８に当たる位置まで差し込むことで、所定の位置に設置される。
【０１３２】
そして、フィルター７，８の交換が終わった後、気流ガイド３０を、ケース１の一面１０の前方に位置する第一位置に移動させることで、フィルター８の左右の端部の前方に、気流ガイド３０の左右一対の突出部２９が位置する。これにより、気流ガイド３０の左右一対の突出部２９によって、フィルター８が第一開口２を通じて抜け落ちることを抑制することができる。
【０１３３】
また、送風装置２００では、気流ガイド３０を第二位置に位置させた状態または未装着な状態でも、第二フィルター８の前方には、左右一対の抜け止め部２７が位置するため、フィルター８が第一開口２を通じて抜け落ちることを抑制することができる。
【０１３４】
以上のように、本実施の形態の送風装置２００では、フィルター７，８の交換を第一開口２を通じて直接行うことができるため、フィルター７，８の交換を容易に行うことができる。
【０１３５】
続いて、本実施形態の送風装置２００の設置例について説明する。
【０１３６】
本実施形態の送風装置２００は、例えば、図８に示すように、玄関に設置されるクローゼット８０内に設置される。
【０１３７】
クローゼット８０は、例えば、天板８１と、左右一対の側板８２と、クローゼット８０の前面開口を開閉する扉８３と、クローゼット８０内の空間を上下に仕切る複数の棚板８４と、クローゼット８０内の区間を左右に仕切る仕切８５を備える。
【０１３８】
送風装置２００は、クローゼット８０の天板８１の下面に、ねじで固定して取り付けられる。このとき、送風装置２００は、底面に化粧カバー７２が装着されていない状態のものが、天板８１に固定される。送風装置２００を天板８１の下面にねじ固定した後、送風装置２００の底面に化粧カバー７２を装着することで、ねじ頭を隠すことができて、意匠性を高めることができる。
【０１３９】
送風装置２００は、天板８１の下面のうち、閉じた状態の扉８３から後方に離れた位置に固定される。これにより、天板８１の下面の前端部に、例えば扉８３を開閉するためのレールが設けられている場合でも、送風装置２００は、気流ガイド３０を第一位置と第二位置との間で移動させることができる。また、送風装置２００は、天板８１を避けるような動き（前後のスライドと上下の回動）で、気流ガイド３０を第一位置と第二位置との間で移動させることができる。これにより、送風装置２００は、天板８１に取り付けたままの状態で、フィルター交換等のメンテナンスが容易に行うことができる。
【０１４０】
送風装置２００は、気流ガイド３０を第一位置に位置させた状態のまま、気流ガイド３０とケース１の前面との間の隙間に指を差し込むことができ、この差し込んだ指で操作部２０を操作することが可能である。送風装置２００は、操作部２０が操作されて駆動することで、扉８３が閉じられた状態のクローゼット８０内の空気の循環と帯電微粒子水の放出を行うことができる。これにより、送風装置２００は、クローゼット８０内に収納された靴、ゴルフバック、ベビーカー等の収納物の除菌や脱臭を行うことができる。
【０１４１】
ここで、本実施形態の送風装置２００は、気流ガイド３０を備えるため、天板８１の下面に設置した状態で、クローゼット８０内を循環する流れが作りやすく、収納物の除菌や脱臭を効果的に行うことができる。
【０１４２】
また、送風装置２００は、薄型であるため、天板８１の下面に圧迫感なく設置することができ、クローゼット８０内の収容量が大きく減ることを抑制することができる。
【０１４３】
また、送風装置２００は、天板８１に取り付けることでねじだけで強固に固定することができるため、ねじ以外の補強部材が別途必要とならない。なお、送風装置２００は、天板８１に限らず、棚板８４の下面に取り付けてもよい。この場合には、送風装置２００は、ねじだけでなく別の補強部材も用いて、棚板８４の下面に取り付けることが好ましい。
【０１４４】
なお、送風装置２００は、クローゼット８０内に設置する場合、フィルター８を備えないものであることが好ましい。この場合、ブロック状のフィルター７は、例えば、ハニカム構造のブロック状の脱臭フィルターと、この脱臭フィルターの上流側の面（つまり前面）に一体に積層された膜状の防塵フィルターとを含むものである。
【０１４５】
また、本実施形態の送風装置２００は、例えば、図３に示すように、キッチンルームの調理台９０の上方に設置されたキャビネット９１の一部に、前面が露出する状態で設置してもよい。この場合、送風装置２００は、気流ガイド３０を装着していないものが用いられる。なお、ここで用いられる送風装置２００は、図９に示すように、気流ガイド３０を装着するための構造を備えていないものであってもよい。
【０１４６】
この場合、図９に示される第二開口３の縦格子は、横並びのルーバーの可動羽根板であってもよい。これにより、第二開口３の縦格子の向きを変えることで、左右の所望の方向に風向きを変えることができる。なお、第二開口３の格子は、縦格子ではなく横格子であってもよい。つまり、第二開口３の格子は、縦並びのルーバーの可動羽根板であってもよい。これにより、第二開口３の横格子の向きを変えることで、上下の所望の方向に風向きを変えることができる。
【０１４７】
また、送風装置２００は、キャビネット９１の一部に、前面が露出しない状態で設置してもよい。この場合、送風装置２００は、キャビネット９１の一部の前方に開口した設置スペースに、キャビネット９１の前面よりも後退した位置に設置される。そして、送風装置２００の前方には、吸込口と吹出口とを有する前パネルが、キャビネット９１の前面と略面一となるように設置される。またこの場合、送風装置２００と前パネルとの間には、例えば、正面視略矩形枠状のガイドが設置される。このガイドは、前パネルの吸込口及び吹出口と、送風装置２００の第一開口２、第二開口３及び第三開口４を連通させるためのものである。前パネル及びガイドは、設置位置から取り外し可能である。このように前パネルを設置することで、送風装置２００が設置される設置スペースの前面開口を覆い隠すことができ、外観を向上させることができる。
【０１４８】
また、本実施形態の送風装置２００は、例えば、図１０に示すように、任意の箇所に設置可能なポータブル式のものであってもよい。この場合、送風装置２００は、ケース１に、気流ガイド３０に代えて、前面に開口部９４を有する化粧ケース９５が装着される。開口部９４には、ルーバー９６が設けられている。ルーバー９６は、開口部９４に、傾きが調整可能に取り付けられたものであってもよいし、固定されたものであってもよい。
【０１４９】
化粧ケース９５は、その下面に、ケース１を挿入するための開口と、この開口を閉じる蓋とを有する。化粧ケース９５内にケース１を内蔵し、化粧ケース９５の下面の開口を蓋で閉じることによって、ケース１の上下の面と左右の面と後面とは、化粧ケース９５によって覆い隠される。
【０１５０】
化粧ケース９５に内蔵されたケース１の前面（一面１０）の第一開口２、第二開口３及び第三開口４は、化粧ケース９５の前面の開口部９４を通じて、前方の外部空間と連通する。
【０１５１】
化粧ケース９５は、その後面に、商用電源に接続される差込プラグのコードが挿通される挿通孔を有する。差込プラグのコードは、ケース１の内部の通電接続部４６に電気的にかつ機械的に接続される。
【０１５２】
図１０に示す送風装置２００は、ケース１の前面に操作部２０を備えておらず、リモコンによって駆動と停止が操作される。なお、送風装置２００は、ケース１の前面に操作部２０を備えるものであってもよく、その場合には、ルーバー９６の周囲の隙間から指を挿入することで、操作部２０が操作される。
【０１５３】
図１０に示す送風装置２００は、任意の箇所に設置することができ、設置箇所の周囲の空間や設備や壁や床の、除菌や脱臭を行うことができる。また、本実施形態の送風装置２００は、化粧ケース９５によってケース１を覆うことで、意匠性が向上している。
【０１５４】
また、本実施形態の送風装置２００は、例えば、図１１に示すように、造営材等の被取付部材３００に設けられた一対の金具３１１，３１２に引っ掛けることで被取付部材３００に設置されていてもよい。
【０１５５】
金具３１１は、右用金具であり、図１２Ａに示すように、Ｌ字形状の板部を有する。金具３１１は、例えば取付ピン３２１によって被取付部材３００に固定されている。また、金具３１２は、左用金具であり、図１２Ｂに示すように、Ｌ字形状の板部を有する。金具３１２は、例えば取付ピン３２２によって被取付部材３００に固定されている。
【０１５６】
図１１に示すように、送風装置２００の上板１３の右側端部にはスリット状の係止孔１３ａが形成されており、送風装置２００の上板１３の左側端部にはスリット状の係止孔１３ｂが形成されている。
【０１５７】
送風装置２００を被取付部材３００に設置する場合、送風装置２００を上方向（Ｚ１の方向）に移動させることで係止孔１３ａに右用の金具３１１を挿入するとともに係止孔１３ｂに左用の金具３１２を挿入し、この状態のまま送風装置２００を後方（Ｘ１とは反対の方向）にスライドさせる。これにより、金具３１１が係止孔１３ａに係止するとともに金具３１２が係止孔１３ｂに係止するので、送風装置２００を金具３１１，３１２に引っ掛けて被取付部材３００に固定することができる。
【０１５８】
なお、図１２では、送風装置２００を後方にスライドさせることで送風装置２００を金具３１１，３１２に引っ掛けたが、図１３に示すように、送風装置２００を前方（Ｘ１の方向）にスライドさせることで送風装置２００を金具３１１，３１２に引っ掛けるように構成されていてもよい。
【０１５９】
続いて、上述した第一及び第二実施形態の送風装置１００，２００の変形例について説明する。
【０１６０】
第一及び第二実施形態の送風装置１００，２００において、第三開口４が第二開口３の上方または下方に並んで位置していてもよい。
【０１６１】
また、第一及び第二実施形態の送風装置１００，２００において、第一開口２の開口面積と第二開口３の開口面積とが、同じであってもよい。
【０１６２】
また、第二実施形態の送風装置２００において、ガイド部３１が、第二開口３から吹き出された空気の流れの向きを、上方や右方に変えるものであってもよい。
【０１６３】
また、第二実施形態の送風装置２００において、気流ガイド３０を備えないものであってもよく、ケース１の一面１０の前方に、１枚の矩形板等で構成される仕切部３２を備えるものであってもよい。この場合でも、仕切部３２によって、ケース１の一面１０の前方の空間を、第一開口２の前方の空間と、第二開口３及び第三開口４の前方の空間とに仕切ることができる。これにより、第二開口３から吹き出された空気が、吹き出してすぐに第一開口２に吸い込まれることを抑制することができる。
【０１６４】
また、第二実施形態の送風装置２００において、操作部２０や表示部２１を備えないものであってもよい。
【０１６５】
また、第一及び第二実施形態の送風装置１００，２００において、キッチンなどの、フィルター８の交換頻度が比較的高い場所に設置する場合には、フィルター７とは別にフィルター８を備えることが好ましい。また、第一及び第二実施形態の送風装置１００，２００は、クローゼット８０などの、防塵用のフィルターの交換頻度が比較的低い場所に設置する場合には、フィルター８を備えないものであることが好ましい。この場合、ブロック状のフィルター７は、例えば、ハニカム構造のブロック状の脱臭フィルターと、この脱臭フィルターの上流側の面（つまり前面）に一体に積層された膜状の防塵フィルターとを含むものであることが好ましい。
【０１６６】
以上まとめると、第一及び第二実施形態の送風装置１００，２００は、下記の構成を備えることを特徴とする。
【０１６７】
すなわち、第一及び第二実施形態の送風装置１００，２００は、扁平な箱型のケース１と、ケース１の厚み方向と直交する方向を向く一面１０に位置する第一開口２、第二開口３及び第三開口４を備える。送風装置１００は、ケース１内に位置し、第一開口２と第二開口３を連通させる空気流路５と、空気流路５内に位置し、第一開口２を通じて空気を吸い込んで第二開口３から吹き出させる送風器６を備える。さらに送風装置１００，２００は、帯電微粒子水、イオンまたはオゾンを発生させ、第三開口４を通じて放出させる発生装置９を備える。一面１０において、第三開口４は第二開口３と並んで位置する。
【０１６８】
上記構成のように、第一及び第二実施形態の送風装置１００，２００では、第三開口４を、第一開口２と第二開口３と同じようにケース１の一面１０に設けている。これにより、第一及び第二実施形態の送風装置１００では、第一開口２と第二開口３とを連通させる空気流路５内を流れる空気に、第三開口４が晒されることを防止できる。ここで、第一及び第二実施形態の送風装置１００，２００では、第三開口４を、第二開口３と並んで位置するようにしたことで、第三開口４から放出された帯電微粒子水や、イオン等を、第二開口３から吹き出される空気に乗せて送り出すことができる。したがって、第一及び第二実施形態の送風装置１００，２００は、キッチン等に設置した場合でも、空気中の揮発した油が第三開口４に付着して第三開口４が閉塞されることを抑制でき、帯電微粒子水や、イオン等の吹き出し量を確保することができる。
【０１６９】
さらに、第一及び第二実施形態の送風装置１００，２００は、上記の構成に加えて、下記の付加的な構成を備える。
【０１７０】
すなわち、第一及び第二実施形態の送風装置１００，２００では、第一開口２、第二開口３及び第三開口４は、この順に並んで位置する。
【０１７１】
上記の付加的な構成を備えることで、第一及び第二実施形態の送風装置１００，２００では、第三開口４から放出された帯電微粒子水等が、放出してすぐに第一開口２に吸い込まれることが抑制される。これにより、第一及び第二実施形態の送風装置１００，２００では、帯電微粒子水等の吹き出し量がさらに確保しやすい。
【０１７２】
さらに、第一及び第二実施形態の送風装置１００，２００は、上記の構成に加えて、下記の付加的な構成を備える。
【０１７３】
すなわち、第一及び第二実施形態の送風装置１００，２００では、第一開口２と第二開口３の間の距離Ｌ１が、第二開口３と第三開口４の間の距離Ｌ２よりも長い。
【０１７４】
上記の付加的な構成のように、第一及び第二実施形態の送風装置１００，２００では、第一開口２と第二開口３の間の距離Ｌ１が比較的長い。そのため、第一及び第二実施形態の送風装置１００，２００では、第二開口３から吹き出される空気とこの空気の乗って送り出される帯電微粒子水等とが、放出してすぐに第一開口２に吸い込まれることを抑制できる。
【０１７５】
さらに、第一及び第二実施形態の送風装置１００，２００は、上記の構成に加えて、下記の付加的な構成を備える。
【０１７６】
すなわち、第一及び第二実施形態の送風装置１００，２００では、第一開口２の開口面積は、第二開口３の開口面積よりも大きい。
【０１７７】
上記の付加的な構成を備えることで、第一及び第二実施形態の送風装置１００，２００では、第一開口２から大量の空気を吸い込んで、第二開口３から空気を勢いよく吹き出すことができる。これにより、第一及び第二実施形態の送風装置１００では、勢いのよい空気に乗せて、第三開口４から放出された帯電微粒子水等を送り出すことができる。
【０１７８】
さらに、第二実施形態の送風装置２００は、上記の構成に加えて、下記の付加的な構成を備える。
【０１７９】
すなわち、第二実施形態の送風装置２００では、一面１０の前方に位置する仕切部３２をさらに備える。仕切部３２は、一面１０の前方の空間を、第一開口２の前方の空間と、第二開口３及び第三開口４の前方の空間とに仕切る。
【０１８０】
上記の付加的な構成を備えることで、第二実施形態の送風装置２００では、第二開口３から吹き出される空気の流れ及びこの流れに乗って送り出される帯電微粒子水等と、第一開口２へと吸い込まれる空気の流れとを仕切部３２によって分けることができる。これにより、第二実施形態の送風装置２００では、第三開口４から放出された帯電微粒子水等が、放出してすぐに第一開口２に吸い込まれることが抑制される。
【０１８１】
さらに、第二実施形態の送風装置２００は、上記の構成に加えて、下記の付加的な構成を備える。
【０１８２】
すなわち、第二実施形態の送風装置２００では、一面１０の前方に位置する気流ガイド３０を備える。気流ガイド３０は、第二開口３から吹き出された空気の流れの方向をガイドするガイド部３１と、仕切部３２とを有する。
【０１８３】
上記の付加的な構成を備えることで、第二実施形態の送風装置２００では、気流ガイド３０のガイド部３１によって、第二開口３（つまり吹出口）から吹き出された空気の流れの向きを、一面１０に平行な方向、つまり、上下方向や左右方向にガイドすることができる。送風装置２００では、気流ガイド３０の仕切部３２によって、第一開口２の前方の空間と、第二開口３の前方の空間とに仕切ることができる。これにより、送風装置２００では、第二開口３（吹出口）から吹き出された空気が、吹き出してすぐに第一開口２（吸込口）に吸い込まれることを抑制することができる。
【０１８４】
さらに、第二実施形態の送風装置２００は、上記の構成に加えて、下記の付加的な構成を備える。
【０１８５】
すなわち、第二実施形態の送風装置２００では、一面１０に位置し、仕切部３２の先端が嵌まるように構成された溝４０を、さらに備える。
【０１８６】
上記の付加的な構成を備えることで、第二実施形態の送風装置２００では、仕切部３２の先端を溝４０に嵌め込むことができるため、第一開口２の前方の空間と、第二開口３の前方の空間とをより確実に仕切ることができる。これにより、送風装置２００では、第二開口３から吹き出された空気が、吹き出してすぐに第一開口２に吸い込まれることをより抑制することができる。
【０１８７】
さらに、第二実施形態の送風装置２００は、上記の構成に加えて、下記の付加的な構成を備える。
【０１８８】
すなわち、第二実施形態の送風装置２００では、空気流路５内のうち第一開口２の下流に位置するブロック状のフィルター７を備える。フィルター７は、第一開口２を通じて出し入れ自在である。
【０１８９】
上記の付加的な構成を備えることで、第二実施形態の送風装置２００では、ブロック状のフィルター７が第一開口２を通じて出し入れ自在であるため、従来例のようにケースの前カバーを取り外す必要がなく、フィルター７の出し入れを簡単に行うことができる。したがって、送風装置２００では、フィルター７の交換を容易に行うことができる。
【０１９０】
さらに、第二実施形態の送風装置２００は、上記の構成に加えて、下記の付加的な構成を備える。
【０１９１】
すなわち、第二実施形態の送風装置２００では、空気流路５内のうちフィルター７の上流に位置するフィルター８をさらに備える。フィルター７は、ハニカム構造の脱臭フィルターであり、フィルター８は、第一開口２を通じて出し入れ自在な防塵フィルターである。
【０１９２】
上記の付加的な構成を備えることで、第二実施形態の送風装置２００では、ハニカム構造の脱臭用のフィルター７と、防塵用の第二フィルター８の両方を、第一開口２を通じて出し入れすることができ、フィルター７，８の交換を容易に行うことができる。
【０１９３】
さらに、第二実施形態の送風装置２００は、上記の構成に加えて、下記の付加的な構成を備える。
【０１９４】
すなわち、第二実施形態の送風装置２００では、気流ガイド３１は、フィルター８の抜け落ちを防止するための突出部２９を有する。
【０１９５】
上記の付加的な構成を備えることで、第二実施形態の送風装置２００では、交換時以外のときにフィルター８が第一開口２を通じて抜け落ちることを、気流ガイド３０が有する突出部２９によって防止することができる。
【０１９６】
さらに、第一及び第二実施形態の送風装置１００，２００は、上記の構成に加えて、下記の付加的な構成を備える。
【０１９７】
すなわち、第一及び第二実施形態の送風装置１００，２００では、発生装置９は、前記帯電微粒子水を発生させる静電霧化装置である。
【０１９８】
上記の付加的な構成を備えることで、第一及び第二実施形態の送風装置１００，２００は、キッチン等に設置した場合に、空気中に含まれる水分を利用して帯電微粒子水を生成することができるため、帯電微粒子水の吹き出し量が確保しやすい。これにより、第一及び第二実施形態の送風装置１００，２００は、除菌作用や脱臭作用を効果的に発揮することができる。
【０１９９】
さらに、第二実施形態の送風装置２００は、上記の構成に加えて、下記の付加的な構成を備える。
【０２００】
すなわち、第二実施形態の送風装置２００では、一面１０に位置し、送風器６と発生装置９の少なくとも一方を操作するための操作部２０をさらに備える。
【０２０１】
上記の付加的な構成を備えることで、第二実施形態の送風装置２００は、一面１０以外の外面に操作部２０がある場合に比べて、送風装置２００を設置する際に操作部２０が邪魔になりにくく、送風装置２００の設置に必要なスペースを抑えることができる。
【０２０２】
以上、本発明に係る送風装置について、実施の形態及び実施例に基づいて説明したが、本発明は、上記実施の形態に限定されるものではない。
【０２０３】
例えば、上記実施の形態に対して当業者が思いつく各種変形を施して得られる形態、又は、本発明の趣旨を逸脱しない範囲で上記の各実施の形態及び実施例における構成要素及び機能を任意に組み合わせることで実現される形態も本発明に含まれる。
【符号の説明】
【０２０４】
１      ケース
１０    一面
２      第一開口
２０    操作部
３      第二開口
３２    仕切部
４      第三開口
５      空気流路
６      送風器
９      発生装置
１００、２００  送風装置
Ｌ１    距離
Ｌ２    距離
【図１】
2016152092.tif 000003
【図２】
2016152092.tif 000004
【図３】
2016152092.tif 000005
【図４】
2016152092.tif 000006
【図５】
2016152092.tif 000007
【図６】
2016152092.tif 000008
【図７】
2016152092.tif 000009
【図８】
2016152092.tif 000010
【図９】
2016152092.tif 000011
【図１０】
2016152092.tif 000012
【図１１】
2016152092.tif 000013
【図１２Ａ】
2016152092.tif 000014
【図１２Ｂ】
2016152092.tif 000015
【図１３】
2016152092.tif 000016
【国際調査報告】
2016152092.tif 000017
2016152092.tif 000018
2016152092.tif 000019
2016152092.tif 000020